(57)【特許請求の範囲】
【請求項１】
ガス供給元から複数の住宅側に燃料ガスを供給するメイン流路と、
前記メイン流路をバイパスするバイパス流路と、
前記メイン流路に設けられた親調整器と、
前記バイパス流路に設けられ、前記親調整器の調整圧力よりも調整圧力が高く設定された子調整器と、
前記子調整器を診断する調整器診断装置と、を備え、
前記調整器診断装置は、
規定時間が経過する毎に、前記子調整器のみを介して流れる燃料ガスの最大流量値以下の流量範囲のうち予め定められた小流量域内の種々の流量において計測される圧力値の所定回数の計測を開始し、計測された所定回数の圧力値の平均値、又は、所定回数の圧力値の特異点を除いた平均値を所定値として算出する所定値算出手段と、
前記所定値算出手段により前記所定値が算出される毎に、これを更新して記憶する記憶手段と、
前記流量範囲のうち前記小流量域以上であって予め定められた所定流量域内の種々の流量において計測された圧力値と、前記記憶手段により更新して記憶された所定値との差が特定値以下である場合に、前記子調整器が異常であると診断する異常判断手段と、を備え、
前記小流領域は、２１Ｌ／ｈ〜５０Ｌ／ｈであり、
前記所定流量域は、１００Ｌ／ｈ〜１５０Ｌ／ｈである
ことを特徴とする調整器診断システム。
【請求項２】
ガス供給元から複数の住宅側に燃料ガスを供給するメイン流路をバイパスするバイパス流路に設けられ、規定時間が経過する毎に、前記メイン流路に設けられた親調整器の調整圧力よりも調整圧力が高く設定された子調整器のみを介して流れる燃料ガスの最大流量値以下の流量範囲のうち予め定められた小流量域内の種々の流量において計測される圧力値の所定回数の計測を開始し、計測された所定回数の圧力値の平均値、又は、所定回数の圧力値の特異点を除いた平均値を所定値として算出する所定値算出手段と、前記所定値算出手段により前記所定値が算出される毎に、これを更新して記憶する記憶手段と、前記流量範囲のうち前記小流量域以上であって予め定められた所定流量域内の種々の流量において計測された圧力値と、前記記憶手段により更新して記憶された所定値との差が特定値以下である場合に、前記子調整器が異常であると診断する異常判断手段と、を備え、前記小流領域は、２１Ｌ／ｈ〜５０Ｌ／ｈであり、前記所定流量域は、１００Ｌ／ｈ〜１５０Ｌ／ｈである
ことを特徴とする調整器診断装置。
【請求項３】
ガス供給元から複数の住宅側に燃料ガスを供給するメイン流路と、
前記メイン流路をバイパスするバイパス流路と、
前記メイン流路に設けられた親調整器と、
前記バイパス流路に設けられ、前記親調整器の調整圧力よりも調整圧力が高く設定された子調整器と、を備えた調整器診断システムの調整器診断方法であって、
規定時間が経過する毎に、前記子調整器のみを介して流れる燃料ガスの最大流量値以下の流量範囲のうち予め定められた小流量域内の種々の流量において計測される圧力値の所定回数の計測を開始し、計測された所定回数の圧力値の平均値、又は、所定回数の圧力値の特異点を除いた平均値を所定値として算出する所定値算出工程と、
前記所定値算出工程において前記所定値が算出される毎に、これを更新して記憶する記憶工程と、
前記流量範囲のうち前記小流量域以上であって予め定められた所定流量域内の種々の流量において計測された圧力値と、前記記憶工程において更新して記憶された所定値との差が特定値以下である場合に、前記子調整器が異常であると診断する異常判断工程と、を有し、
前記小流領域は、２１Ｌ／ｈ〜５０Ｌ／ｈであり、
前記所定流量域は、１００Ｌ／ｈ〜１５０Ｌ／ｈである
ことを特徴とする調整器診断方法。
【発明の詳細な説明】
【技術分野】
【０００１】
本発明は、調整器診断システム、調整器診断装置及び調整器診断方法に関する。
【背景技術】
【０００２】
従来、集合住宅など複数の住宅に燃料ガスを供給するガス供給システムが提案されている。ガス供給システムは、ガス供給元からの燃料ガスを複数の住宅側に供給するガス流路と、ガス流路を通じで流れてきた燃料ガスを複数の住宅に分配供給する複数の個別ガス流路とを備えている。
【０００３】
また、ガス流路は、メインとなるメイン流路と、メイン流路をバイパスするバイパス流路とからなり、漏洩が発生しているか否かを判断する漏洩検知装置がバイパス流路上に設けられている。そして、漏洩検知装置は、燃料ガスが例えば３０日間連続して流れている場合に、漏洩が発生していると判断し、警報や発呼を行う。
【０００４】
また、ガス供給システムにおいて、メイン流路には親調整器が設置され、バイパス流路には親調整器よりも調整圧力が高くされた子調整器が設置される。このため、各家庭で小流量の燃料ガスが使用されたり漏洩が発生したりすると、まず、子調整器を介して燃料ガスが流れる。その後、使用される燃料ガスの流量が多くなると、親調整器及び子調整器の双方を介して燃料ガスが流れる（例えば特許文献１及び２参照）。
【先行技術文献】
【特許文献】
【０００５】
【特許文献１】特開平３−４１３００号公報
【特許文献２】特開平５−２９６８７３号公報
【発明の概要】
【発明が解決しようとする課題】
【０００６】
しかし、従来の漏洩検知装置では漏洩を判断するにあたり、子調整器が正常に動作していることが必要となる。すなわち、子調整器に異物が混入したり、経年劣化により子調整器の調整圧力が低下したりした場合には、漏洩による流量が発生しても親調整器を介して燃料ガスが流れることもある。このような場合、燃料ガスは漏洩検知装置を通ることがなく、漏洩検知をできなくなってしまう。
【０００７】
このため、従来では、作業員が現地に訪問し、ガス遮断を行ったうえで圧力計を設置して圧力測定を行う必要があり、子調整器の診断に多くの工数が掛かっていた。
【０００８】
本発明はこのような従来の課題を解決するためになされたものであり、その発明の目的とするところは、子調整器の診断を行うことが可能な調整器診断システム、調整器診断装置及び調整器診断方法を提供することにある。
【課題を解決するための手段】
【００１７】
また、本発明の調整器診断システムは、ガス供給元から複数の住宅側に燃料ガスを供給するメイン流路と、前記メイン流路をバイパスするバイパス流路と、前記メイン流路に設けられた親調整器と、前記バイパス流路に設けられ、前記親調整器の調整圧力よりも調整圧力が高く設定された子調整器と、前記子調整器を診断する調整器診断装置と、を備え、前記調整器診断装置は、規定時間が経過する毎に、前記子調整器のみを介して流れる燃料ガスの最大流量値以下の流量範囲のうち予め定められた小流量域内の種々の流量において計測される圧力値の所定回数の計測を開始し、計測された所定回数の圧力値の平均値、又は、所定回数の圧力値の特異点を除いた平均値を所定値として算出する所定値算出手段と、前記所定値算出手段により前記所定値が算出される毎に、これを更新して記憶する記憶手段と、前記流量範囲のうち前記小流量域以上であって予め定められた所定流量域内の種々の流量において計測された圧力値と、前記記憶手段により更新して記憶された所定値との差が特定値以下である場合に、前記子調整器が異常であると診断する異常判断手段と、を備え、前記小流領域は、２１Ｌ／ｈ〜５０Ｌ／ｈであり、前記所定流量域は、１００Ｌ／ｈ〜１５０Ｌ／ｈであることを特徴とする。
【００１８】
この調整器診断システムによれば、流量範囲のうち予め定められた小流量域において計測された圧力値に基づいて、所定値を算出し、流量範囲のうち小流量域以上であって予め定められた所定流量域において計測された圧力値と、算出された所定値との差が特定値以下である場合に、子調整器が異常であると診断する。ここで、子調整器に異常が発生すると、小流量域以上の所定流量域における圧力値も小流量域と同様に低下する。しかし、所定流量域における圧力値はある程度低下すると、親調整器との関係から途中で低下が止まる傾向にある。このため、小流量域において計測された圧力値は低下するものの、所定流量域における圧力値の低下は止まるという現象が発生し、子調整器の異常時には両者の差が小さくなる傾向にある。従って、上記の如く診断することで、子調整器をより精度良く診断することができる。
【００１９】
また、本発明の調整器診断装置は、ガス供給元から複数の住宅側に燃料ガスを供給するメイン流路をバイパスするバイパス流路に設けられ、規定時間が経過する毎に、前記メイン流路に設けられた親調整器の調整圧力よりも調整圧力が高く設定された子調整器のみを介して流れる燃料ガスの最大流量値以下の流量範囲のうち予め定められた小流量域内の種々の流量において計測される圧力値の所定回数の計測を開始し、計測された所定回数の圧力値の平均値、又は、所定回数の圧力値の特異点を除いた平均値を所定値として算出する所定値算出手段と、前記所定値算出手段により前記所定値が算出される毎に、これを更新して記憶する記憶手段と、前記流量範囲のうち前記小流量域以上であって予め定められた所定流量域内の種々の流量において計測された圧力値と、前記記憶手段により更新して記憶された所定値との差が特定値以下である場合に、前記子調整器が異常であると診断する異常判断手段と、を備え、前記小流領域は、２１Ｌ／ｈ〜５０Ｌ／ｈであり、前記所定流量域は、１００Ｌ／ｈ〜１５０Ｌ／ｈであることを特徴とする。
【００２０】
この調整器診断装置によれば、流量範囲のうち予め定められた小流量域において計測された圧力値に基づいて、所定値を算出し、流量範囲のうち小流量域以上であって予め定められた所定流量域において計測された圧力値と、算出された所定値との差が特定値以下である場合に、子調整器が異常であると診断する。ここで、子調整器に異常が発生すると、小流量域以上の所定流量域における圧力値も小流量域と同様に低下する。しかし、所定流量域における圧力値はある程度低下すると、親調整器との関係から途中で低下が止まる傾向にある。このため、小流量域において計測された圧力値は低下するものの、所定流量域における圧力値の低下は止まるという現象が発生し、子調整器の異常時には両者の差が小さくなる傾向にある。従って、上記の如く診断することで、子調整器をより精度良く診断することができる。
【００２１】
また、本発明の調整器診断方法は、ガス供給元から複数の住宅側に燃料ガスを供給するメイン流路と、前記メイン流路をバイパスするバイパス流路と、前記メイン流路に設けられた親調整器と、前記バイパス流路に設けられ、前記親調整器の調整圧力よりも調整圧力が高く設定された子調整器と、を備えた調整器診断システムの調整器診断方法であって、規定時間が経過する毎に、前記子調整器のみを介して流れる燃料ガスの最大流量値以下の流量範囲のうち予め定められた小流量域内の種々の流量において計測される圧力値の所定回数の計測を開始し、計測された所定回数の圧力値の平均値、又は、所定回数の圧力値の特異点を除いた平均値を所定値として算出する所定値算出工程と、前記所定値算出工程において前記所定値が算出される毎に、これを更新して記憶する記憶工程と、前記流量範囲のうち前記小流量域以上であって予め定められた所定流量域内の種々の流量において計測された圧力値と、前記記憶工程において更新して記憶された所定値との差が特定値以下である場合に、前記子調整器が異常であると診断する異常判断工程と、を有し、前記小流領域は、２１Ｌ／ｈ〜５０Ｌ／ｈであり、前記所定流量域は、１００Ｌ／ｈ〜１５０Ｌ／ｈであることを特徴とする。
【００２２】
この調整器診断方法によれば、流量範囲のうち予め定められた小流量域において計測された圧力値に基づいて、所定値を算出し、流量範囲のうち小流量域以上であって予め定められた所定流量域において計測された圧力値と、算出された所定値との差が特定値以下である場合に、子調整器が異常であると診断する。ここで、子調整器に異常が発生すると、小流量域以上の所定流量域における圧力値も小流量域と同様に低下する。しかし、所定流量域における圧力値はある程度低下すると、親調整器との関係から途中で低下が止まる傾向にある。このため、小流量域において計測された圧力値は低下するものの、所定流量域における圧力値の低下は止まるという現象が発生し、子調整器の異常時には両者の差が小さくなる傾向にある。従って、上記の如く診断することで、子調整器をより精度良く診断することができる。
【発明の効果】
【００２３】
本発明によれば、子調整器の診断を行うことが可能な調整器診断システム、調整器診断装置及び調整器診断方法を提供することができる。
【図面の簡単な説明】
【００２４】
【図１】本発明の実施形態に係る調整器診断システムを含むガス供給システムの構成図である。
【図２】図１に示したガス供給システムにおける圧力−流量特性を示すグラフであって、子調整器が正常である場合を示している。
【図３】図１に示したガス供給システムにおける圧力−流量特性を示すグラフであって、子調整器が異常である場合を示している。
【図４】図１に示した調整器診断装置の詳細を示す構成図である。
【図５】図１に示した調整器診断システムによる調整器診断方法を示すフローチャートであり、所定値の算出及び記憶についての処理を示している。
【図６】図１に示した調整器診断システムによる調整器診断方法を示すフローチャートであり、記憶された所定値との差に基づく診断処理を示している。
【図７】図１に示した調整器診断システムによる調整器診断方法を示すフローチャートであり、所定値の算出及び記憶についての処理を示している。
【図８】図１に示した調整器診断システムによる調整器診断方法を示すフローチャートであり、記憶された所定値との差に基づく診断処理を示している。
【発明を実施するための形態】
【００２５】
以下、本発明の好適な実施形態を図面に基づいて説明する。図１は、本発明の実施形態に係る調整器診断システムを含むガス供給システム１の構成図である。なお、以下では、ＬＰガスを燃料ガスとして供給するガス供給システム１を例に説明するが、これに限らず、ガス供給システム１は都市ガスを供給するものであってもよい。
【００２６】
ガス供給システム１は、ガスボンベ（ガス供給元）１１０から複数の住宅２に燃料ガスを供給する住宅設備である。このガス供給システム１は、調整器診断システム１００と、住宅側設備２００とからなっている。調整器診断システム１００は、ガスボンベ１１０と、ガス流路１２０と、圧力調整器１３０〜１５０と、調整器診断装置１６０とを備えている。
【００２７】
ガス流路１２０は、ガスボンベ１１０から複数の住宅２側まで連続する流路であって、メイン流路１２１と、バイパス流路１２２とからなっている。メイン流路１２１は、ガスボンベ１１０から複数の住宅２側に燃料ガスを供給するメインとなる流路である。バイパス流路１２２は、メイン流路１２１をバイパスするものであって、両端がメイン流路１２１に接続されている。
【００２８】
圧力調整器１３０〜１５０は、ガス流路１２０上に設けられ、閉塞状態と開放状態との２状態により下流側のガス圧力を調整するものである。このうち、元調整器１３０はガスボンベ１１０側に設けられている。また、親調整器１４０は、メイン流路１２１に設けられている。詳細に親調整器１４０は、メイン流路１２１のうちバイパス流路１２２によってバイパスされる部分に設けられている。子調整器１５０は、バイパス流路１２２に設けられ、親調整器１４０の調整圧力よりも調整圧力が高く設定されたものである。調整器診断装置１６０は、ガス流路１２０のうちバイパス流路１２２上に設けられ、子調整器１５０が正常であるか異常であるかを診断するものである。
【００２９】
住宅側設備２００は、複数の個別ガス流路２１０と、複数のバルブ２２０と、複数のガスメータ２３０と、複数のガス器具２４０とを備えている。複数の個別ガス流路２１０は、ガス流路１２０を通じて流れてきた燃料ガスを複数の住宅２に供給するものである。これら複数の個別ガス流路２１０は、ガス流路１２０から分岐するようにして、複数の住宅２にそれぞれに燃料ガスを供給する。
【００３０】
バルブ２２０は、各個別ガス流路２１０の上流部位に設けられている。このバルブ２２０を開閉することにより、各住宅２の住居者は燃料ガスを家庭内に引き込むことができる。
【００３１】
ガスメータ２３０は、燃料ガスの流量を測定して積算流量を表示するものである。複数のガス器具２４０は、ガスストーブ、ファンヒータ、給湯器、床暖房、ガステーブル、及び、ガスＢＦ風呂釜などである。
【００３２】
このようなガス供給システム１において、小流量の燃料ガスは、親調整器１４０と子調整器１５０との調整圧力の違いから、親調整器１４０側を流れず、子調整器１５０側を介して流れることとなる。また、大流量の燃料ガスは、親調整器１４０及び子調整器１５０の双方を介して流れることとなる。
【００３３】
図２は、図１に示したガス供給システム１における圧力−流量特性を示すグラフであって、子調整器１５０が正常である場合を示している。図２に示すように、ガス供給システム１においては、小流量の燃料ガスは子調整器１５０のみを介して、バイパス流路１２２を流れる。このとき、流量が０Ｌ／ｈのときの圧力は約３．２２ｋＰａとなっており、流量が増加するにつれて圧力は低下していく。具体的に流量が１８０Ｌ／ｈのときの圧力は約３．００ｋＰａとなる。そして、流量が１８０Ｌ／ｈを超えると、親調整器１４０を介してメイン流路１２１にも流量が流れ、圧力は急激に低下する。これにより、圧力は親調整器１４０に依存することとなる。その後、流量が増加しても圧力は約２．８８ｋＰａから２．７８ｋＰａ程度の値を示すこととなる。
【００３４】
図３は、図１に示したガス供給システム１における圧力−流量特性を示すグラフであって、子調整器１５０が異常である場合を示している。図３に示すように、子調整器１５０に異常が発生した場合、調整圧力が低下する。このため、例えば図３に示すように、流量が０Ｌ／ｈのときの圧力が約３．１０ｋＰａ程度に低下する（符号ａ参照）。このとき、流量が１８０Ｌ／ｈに達したときの圧力は、親調整器１４０と同様の約２．８８ｋＰａ程度となる。このように、子調整器１５０の異常時において圧力−流量特性は圧力が低下する方向に平行移動を示す。
【００３５】
さらに、子調整器１５０の劣化が進んだり過度な異常が発生すると、流量が０Ｌ／ｈのときの圧力が約３．０２ｋＰａ程度に低下する（符号ｂ参照）。このとき、圧力が低下する方向に平行移動を示すとすると、流量が１８０Ｌ／ｈに達したときの圧力は、約２．８１ｋＰａ程度となる。ところが、実際には流量１２０Ｌ／ｈ程度の段階で、燃料ガスが親調整器１４０を介して流れることとなる。
【００３６】
図４は、図１に示した調整器診断装置１６０の詳細を示す構成図である。図４に示すように、調整器診断装置１６０は、流量センサ１６１と、圧力センサ１６２と、判断部１６３と、記憶部（記憶手段）１６４とを備えている。
【００３７】
流量センサ１６１は、調整器診断装置１６０の流路内におけるガス流量に応じた計測信号を出力するものであって、超音波センサやフローセンサなどで構成される。圧力センサ１６２は、調整器診断装置１６０の流路内におけるガス圧力に応じた計測信号を出力するものであって、ピエゾ抵抗式や静電容量式などのセンサによって構成される。
【００３８】
判断部１６３は、調整器診断装置１６０における各種判断を行うものであって、例えば、流量センサ１６１からの信号及び圧力センサ１６２からの信号に基づいて、子調整器１５０の診断処理を実行するものである。
【００３９】
また、判断部１６３は、異常診断部（異常診断手段）１６３ａと、算出部（所定値算出手段）１６３ｂとを備えている。
【００４０】
異常診断部１６３ａは、子調整器１５０の異常を診断するものである。この異常診断部１６３ａは、最大流量値以下の流量範囲において圧力センサ１６２からの計測信号に基づいて計測された圧力値に基づいて、子調整器１５０の異常を診断するものである。ここで、最大流量値とは、子調整器１５０のみを介して流れる燃料ガスの最大流量値である。図２に示すように、子調整器１５０が正常である場合、１８０Ｌ／ｈの流量が流れ得る。このため、本実施形態において最大流量値は１８０Ｌ／ｈであり、流量範囲は最大で０Ｌ／ｈ〜１８０Ｌ／ｈであり、本実施形態では、２１Ｌ／ｈ〜１５０Ｌ／ｈであるとする。
【００４１】
より詳細に異常診断部１６３ａは、最大流量値以下の流量範囲において計測された圧力値と所定値との差に基づいて、子調整器１５０の異常を診断する。ここで、所定値は予め定められた値でもよいが、本実施形態では算出部１６３ｂによって算出される。
【００４２】
算出部１６３ｂは所定値を算出するものである。この算出部１６３ｂは、子調整器１５０が新規に設置されてから所定期間内、すなわち正常であるときに、流量範囲において計測された圧力値から所定値を算出する。このとき、算出部１６３ｂは、流量範囲において計測された初回から所定回数目までの圧力値に基づいて、所定値を算出する。初回の圧力値とは、調整器診断システム１００の設置直後など、子調整器１５０が新しい状態における１回目の圧力値である。このため、例えば算出部１６３ｂは、調整器診断システム１００の設置直後の１回目から所定回数目までの圧力値に基づいて、所定値を算出することとなる。このように、調整器診断システム１００の設置直後に所定値を算出しておくことで、子調整器１５０が正常であるときに所定値を算出するようにしている。
【００４３】
具体的に算出部１６３ｂは、初回から所定回数目までの圧力値の平均値、及び、初回から所定回数目までの圧力値のうち特異値を除いた平均値などを所定値として算出する。算出部１６３ｂは所定値を算出すると、所定値を記憶部１６４に記憶させる。
【００４４】
次に、本実施形態に係る調整器診断方法について説明する。子調整器１５０の診断は、所定値の算出及び記憶についての処理と、記憶された所定値との差に基づく診断処理の２段階によって行われる。
【００４５】
図５は、図１に示した調整器診断システム１００による調整器診断方法を示すフローチャートであり、所定値の算出及び記憶についての処理を示している。図５に示すように、まず、判断部１６３は調整器診断システム１００の設置直後であるか否かを判断する（Ｓ１１）。なお、ステップＳ１１では設置直後であるか否かを判断しているが、これに限らず、調整器診断システム１００が正常であるタイミングであれば、設置直後でなくともよい。
【００４６】
調整器診断システム１００の設置直後でないと判断した場合（Ｓ１１：ＮＯ）、図５に示す処理は終了する。一方、調整器診断システム１００の設置直後であると判断した場合（Ｓ１１：ＹＥＳ）、判断部１６３は、流量センサ１６１からの計測信号に基づいて計測された流量値が流量範囲内（２１Ｌ／ｈ〜１５０Ｌ／ｈ）であるか否かを判断する（Ｓ１２）。
【００４７】
計測された流量値が流量範囲内でないと判断した場合（Ｓ１２：ＮＯ）、図５に示す処理は終了する。一方、計測された流量値が流量範囲内であると判断した場合（Ｓ１２：ＹＥＳ）、算出部１６３ｂは、圧力センサ１６２からの計測信号に基づいて圧力を計測する（Ｓ１３）。
【００４８】
その後、算出部１６３ｂは、所定回数（例えば１５回）計測したか否かを判断する（Ｓ１４）。なお、この所定回数は可変であることが望ましい。所定回数計測していないと判断した場合（Ｓ１４：ＮＯ）、処理はステップＳ１２に移行する。一方、所定回数計測したと判断した場合（Ｓ１４：ＹＥＳ）、算出部１６３ｂは、所定回数の平均値ＰＩＮＩを算出する（Ｓ１５）。次いで、算出部１６３ｂは、平均値ＰＩＮＩを所定値として記憶部１６４に記憶させる（Ｓ１６）。その後、図５に示す処理は終了する。
【００４９】
図６は、図１に示した調整器診断システム１００による調整器診断方法を示すフローチャートであり、記憶された所定値との差に基づく診断処理を示している。図６に示すように、まず、判断部１６３は、流量センサ１６１からの計測信号に基づいて計測された流量値が流量範囲内（２１Ｌ／ｈ〜１５０Ｌ／ｈ）であるか否かを判断する（Ｓ２１）。
【００５０】
計測された流量値が流量範囲内でないと判断した場合（Ｓ２１：ＮＯ）、図６に示す処理は終了する。一方、計測された流量値が流量範囲内であると判断した場合（Ｓ２１：ＹＥＳ）、異常診断部１６３ａは、圧力センサ１６２からの計測信号に基づいて圧力を計測する（Ｓ２２）。
【００５１】
その後、異常診断部１６３ａは、所定回数（例えば１５回）計測したか否かを判断する（Ｓ２３）。なお、この所定回数は可変であることが望ましく、回数についても図５のステップＳ１４に示した所定回数と同じでなくともよい。所定回数計測していないと判断した場合（Ｓ２３：ＮＯ）、処理はステップＳ２１に移行する。一方、所定回数計測したと判断した場合（Ｓ２３：ＹＥＳ）、異常診断部１６３ａは、所定回数の平均値Ｐを算出する（Ｓ２４）。
【００５２】
次いで、異常診断部１６３ａは、図５のステップＳ１６において記憶された所定値ＰＩＮＩと、ステップＳ２４において算出された平均値Ｐとの差が規定値（例えば１００Ｐａ）以上であるか否かを判断する（Ｓ２５）。すなわち、異常診断部１６３ａは、所定値ＰＩＮＩ−平均値Ｐ≧１００Ｐａであるか否かを判断する。
【００５３】
所定値ＰＩＮＩ−平均値Ｐ≧１００Ｐａであると判断した場合（Ｓ２５：ＹＥＳ）、異常診断部１６３ａは、子調整器１５０が異常であると判断する（Ｓ２６）。その後、図６に示す処理は終了する。一方、所定値ＰＩＮＩ−平均値Ｐ≧１００Ｐａでないと判断した場合（Ｓ２５：ＮＯ）、異常診断部１６３ａは、子調整器１５０が正常であると判断する（Ｓ２７）。その後、図６に示す処理は終了する。なお、子調整器１５０が異常であると診断した場合、通信によりガスの管理センターなどに通知することが望ましい。
【００５４】
このようにして、本実施形態に係る調整器診断システム１００、調整器診断装置１６０及び調整器診断方法によれば、子調整器１５０のみを介して流れる燃料ガスの最大流量値以下の流量範囲において計測された圧力値と、所定値との差に基づいて子調整器１５０の異常を診断する。ここで、子調整器１５０に異常が発生すると、調整圧力が低下する傾向にある。このため、流量範囲において計測された圧力値についても低下することとなり、この圧力値を所定値とを比較することにより、子調整器１５０の異常を診断することができる。
【００５５】
また、子調整器１５０が新規に設置されてから所定期間内、すなわち子調整器１５０が正常であるときに、流量範囲において計測された圧力値から、所定値を算出するため、計測された圧力値を子調整器１５０が正常であるときの所定値と比較することとなり、子調整器１５０の異常を診断することができる。
【００５６】
また、流量範囲において計測された初回から所定回数目の圧力値に基づいて、所定値を算出する。ここで、計測された初回から所定回数目の圧力値は、調整器診断システム１００の設置直後に計測された値であるため、子調整器１５０に異常が発生している可能性が極めて小さく、子調整器１５０が正常であるときの値といえる。従って、子調整器１５０が正常であるときに所定値を算出することができる。
【００５７】
また、流量範囲において計測された圧力値と所定値との差が規定値以上である場合に、子調整器１５０が異常であると診断する。ここで、子調整器１５０に異常が発生すると、調整圧力が低下する傾向にある。このため、子調整器１５０に異常が発生すると、子調整器１５０が正常であるときの調整圧力との差が大きくなる。よって、流量範囲において計測された圧力値と所定値との差が規定値以上である場合に、子調整器１５０が異常であると診断することで、子調整器１５０をより精度良く診断することができる。
【００５８】
次に、第２実施形態に係る調整器診断システム１００について説明する。第２実施形態に係る調整器診断システム１００は、第１実施形態のものと同様であるが、構成及び処理内容が一部異なっている。
【００５９】
第２実施形態に係る子調整器１５０の診断概念を、図３を参照して説明する。図３に示したように、子調整器１５０が正常である場合、流量が０Ｌ／ｈのときの圧力は約３．２２ｋＰａであり、流量が１８０Ｌ／ｈのときの圧力は約３．００ｋＰａである。このため、両者の差は０．２２ｋＰａとなる。
【００６０】
また、子調整器１５０が異常である場合（符号ａ参照）、調整圧力が低下する。すなわち、流量が０Ｌ／ｈのときの圧力は約３．１０ｋＰａであり、流量が１８０Ｌ／ｈのときの圧力は約２．８８ｋＰａ程度である。このため、両者の差は、０．２２ｋＰａとなる。
【００６１】
さらに、子調整器１５０の劣化が進んだり過度な異常が発生すると（符号ｂ参照）、流量が０Ｌ／ｈのときの圧力は約３．０２ｋＰａであり、流量が１８０Ｌ／ｈのときの圧力は約２．８８ｋＰａである。すなわち、燃料ガスは流量１２０Ｌ／ｈ程度の段階で親調整器１４０を介して流れるため、流量が１８０Ｌ／ｈのときの圧力は親調整器１４０に依存した約２．８８ｋＰａとなる。よって、両者の差は０．１４ｋＰａとなる。
【００６２】
ここで、子調整器１５０の劣化が進んだり過度な異常が発生すると、流量が０Ｌ／ｈのときと、流量が１８０Ｌ／ｈのときとの圧力差は小さくなる。第２実施形態に係る調整器診断装置１６０は、圧力差が小さくなることを利用して、子調整器１５０の異常を診断する。
【００６３】
図４を参照する。第２実施形態において算出部１６３ｂは、流量範囲のうち予め定められた小流量域（例えば２１Ｌ／ｈ〜５０Ｌ／ｈ）において圧力値を計測し、計測した圧力値から定期的に所定値を算出する。すなわち、算出部１６３ｂは、所定回数圧力値を計測して所定値を算出する処理を、１カ月毎や数日毎など定期的に実行する。また、算出部１６３ｂは、定期的に算出した所定値を記憶部１６４に記憶させる。このため、第２実施形態において所定値は定期的に更新されることとなる。
【００６４】
異常診断部１６３ａは、記憶部１６４に定期的に更新される所定値と、流量範囲のうち小流量域以上であって予め定められた所定流量域（例えば１００Ｌ／ｈ〜１５０Ｌ／ｈ）において計測された圧力値との差が特定値（例えば５０Ｐａ）以下である場合に、子調整器１４０が異常であると診断する。ここで、図３を参照して説明したように、子調整器１５０に異常が発生すると、小流量域と所定流量域との圧力値は同様に低下する傾向にある。しかし、所定流量域における圧力値はある程度低下すると、親調整器１４０との関係から途中で低下が止まる傾向にある。このため、小流量域において計測された圧力値は低下するものの、所定流量域における圧力値の低下は止まるという現象が発生し、子調整器１４０の異常時には両者の差が小さくなる傾向にある。従って、上記の如く診断することで、子調整器１４０を診断することができる。
【００６５】
次に、第２実施形態に係る調整器診断方法について説明する。図７は、図１に示した調整器診断システム１００による調整器診断方法を示すフローチャートであり、所定値の算出及び記憶についての処理を示している。図７に示すように、まず、判断部１６３は、前回所定値を更新してから規定時間経過したか否かを判断する（Ｓ３１）。すなわち所定値の定期的な更新タイミングであるか否かを判断する。
【００６６】
前回所定値を更新してから規定時間経過していないと判断した場合（Ｓ３１：ＮＯ）、図７に示す処理は終了する。一方、前回所定値を更新してから規定時間経過したと判断した場合（Ｓ３１：ＹＥＳ）、判断部１６３は、流量センサ１６１からの計測信号に基づいて計測された流量値が小流量域（２１Ｌ／ｈ〜５０Ｌ／ｈ）に含まれるか否かを判断する（Ｓ３２）。
【００６７】
計測された流量値が小流量域に含まれないと判断した場合（Ｓ３２：ＮＯ）、図７に示す処理は終了する。一方、計測された流量値が小流量域に含まれると判断した場合（Ｓ３２：ＹＥＳ）、算出部１６３ｂは、圧力センサ１６２からの計測信号に基づいて圧力を計測する（Ｓ３３）。
【００６８】
その後、算出部１６３ｂは、所定回数（例えば１５回）計測したか否かを判断する（Ｓ３４）。なお、この所定回数は可変であることが望ましい。所定回数計測していないと判断した場合（Ｓ３４：ＮＯ）、処理はステップＳ３２に移行する。一方、所定回数計測したと判断した場合（Ｓ３４：ＹＥＳ）、算出部１６３ｂは、所定回数の平均値ＰＡを算出する（Ｓ３５）。次いで、算出部１６３ｂは、平均値ＰＡを所定値として記憶部１６４に記憶させる（Ｓ３６）。その後、図７に示す処理は終了する。
【００６９】
図８は、図１に示した調整器診断システム１００による調整器診断方法を示すフローチャートであり、記憶された所定値との差に基づく診断処理を示している。図８に示すように、まず、判断部１６３は、流量センサ１６１からの計測信号に基づいて計測された流量値が所定流量域（１００Ｌ／ｈ〜１５０Ｌ／ｈ）に含まれるか否かを判断する（Ｓ４１）。
【００７０】
計測された流量値が所定流量域に含まれないと判断した場合（Ｓ４１：ＮＯ）、図８に示す処理は終了する。一方、計測された流量値が所定流量域に含まれると判断した場合（Ｓ４１：ＹＥＳ）、異常診断部１６３ａは、圧力センサ１６２からの計測信号に基づいて圧力を計測する（Ｓ４２）。
【００７１】
その後、異常診断部１６３ａは、所定回数（例えば１５回）計測したか否かを判断する（Ｓ４３）。なお、この所定回数は可変であることが望ましく、回数についても図７のステップＳ３４に示した所定回数と同じでなくともよい。所定回数計測していないと判断した場合（Ｓ４３：ＮＯ）、処理はステップＳ４１に移行する。一方、所定回数計測したと判断した場合（Ｓ４３：ＹＥＳ）、異常診断部１６３ａは、所定回数の平均値ＰＢを算出する（Ｓ４４）。
【００７２】
次いで、異常診断部１６３ａは、図７のステップＳ３６において記憶された所定値ＰＡと、ステップＳ４４において算出された平均値ＰＢとの差が特定値（例えば５０Ｐａ）以下であるか否かを判断する（Ｓ４５）。すなわち、異常診断部１６３ａは、所定値ＰＡ−平均値ＰＢ≦５０Ｐａであるか否かを判断する。
【００７３】
所定値ＰＡ−平均値ＰＢ≦５０Ｐａであると判断した場合（Ｓ４５：ＹＥＳ）、異常診断部１６３ａは、子調整器１５０が異常であると判断する（Ｓ４６）。その後、図８に示す処理は終了する。一方、所定値ＰＡ−平均値ＰＢ≦５０Ｐａでないと判断した場合（Ｓ４５：ＮＯ）、異常診断部１６３ａは、子調整器１５０が正常であると判断する（Ｓ４７）。その後、図８に示す処理は終了する。なお、子調整器１５０が異常であると診断した場合、通信によりガスの管理センターなどに通知することが望ましい。
【００７４】
このようにして、第２実施形態に係る調整器診断システム１００、調整器診断装置１６０及び調整器診断方法によれば、第１実施形態と同様に、子調整器１５０の異常を診断することができる。
【００７５】
また、流量範囲のうち予め定められた小流量域において計測された圧力値に基づいて、所定値を算出し、流量範囲のうち小流量域以上であって予め定められた所定流量域において計測された圧力値と、算出された所定値との差が特定値以下である場合に、子調整器１５０が異常であると診断する。ここで、子調整器１５０に異常が発生すると、小流量域以上の所定流量域における圧力値も小流量域と同様に低下する。しかし、所定流量域における圧力値はある程度低下すると、親調整器１４０との関係から途中で低下が止まる傾向にある。このため、小流量域において計測された圧力値は低下するものの、所定流量域における圧力値の低下は止まるという現象が発生し、子調整器１５０の異常時には両者の差が小さくなる傾向にある。従って、上記の如く診断することで、子調整器１５０をより精度良く診断することができる。
【００７６】
以上、実施形態に基づき本発明を説明したが、本発明は上記実施形態に限られるものではなく、本発明の趣旨を逸脱しない範囲で、変更を加えてもよいし、各実施形態を組み合わせてもよい。
【００７７】
例えば、上記実施形態において所定回数計測を行っているが、この計測の間隔は１時間や１日などであってもよい。また、上記実施形態では、図５に示すステップＳ２５，Ｓ４５において「ＹＥＳ」と判断された場合に、子調整器１５０が異常であると判断しているが、複数回連続して「ＹＥＳ」と判断された場合に、子調整器１５０が異常であると判断してもよいし、「ＹＥＳ」と判断された回数がある予め定められた回数に達した場合に、子調整器１５０が異常であると判断してもよい。
【符号の説明】
【００７８】
１…ガス供給システム
２…住宅
１００…調整器診断システム
１１０…ガスボンベ（ガス供給元）
１２０…ガス流路
１２１…メイン流路
１２２…バイパス流路
１３０…元調整器
１４０…親調整器
１５０…子調整器
１６０…調整器診断装置
１６１…流量センサ
１６２…圧力センサ
１６３…判断部
１６３ａ…異常診断部（異常診断手段）
１６３ｂ…算出部（所定値算出手段）
１６４…記憶部（記憶手段）
２００…住宅側設備
２１０…複数の個別ガス流路
２２０…複数のバルブ
２３０…複数のガスメータ
２４０…複数のガス器具
【図１】
0005846724.tif 000002
【図２】
0005846724.tif 000003
【図３】
0005846724.tif 000004
【図４】
0005846724.tif 000005
【図５】
0005846724.tif 000006
【図６】
0005846724.tif 000007
【図７】
0005846724.tif 000008
【図８】
0005846724.tif 000009